(57)【要約】【課題】キャビネットの背板のがたつきを防止し得る背板押さえ部材、及びこれを備えたキャビネットを提供する。【解決手段】キャビネット１の側板３の接合溝３ｂに端部４ｂを嵌め入れて該側板に接合された背板４を固定する背板押さえ部材１０であって、前記側板の内面３ｃに固定止具９によって固定される固定基部１１と、この固定基部に連成されるとともに、前記背板の上端面４ａに当接される押さえ部１２とを備えている。【選択図】図１
2011099517.tif 000002
【特許請求の範囲】
【請求項１】
キャビネットの側板の接合溝に端部を嵌め入れて該側板に接合された背板を固定する背板押さえ部材であって、
前記側板の内面に固定止具によって固定される固定基部と、この固定基部に連成されるとともに、前記背板の上端面に当接される押さえ部とを備えていることを特徴とする背板押さえ部材。
【請求項２】
請求項１において、
前記固定基部の裏面には、前記側板の接合溝に係合する係合突部が設けられていることを特徴とする背板押さえ部材。
【請求項３】
請求項２において、
前記係合突部の先端部には、係合ガイド用のガイド面が形成されていることを特徴とする背板押さえ部材。
【請求項４】
請求項１乃至３のいずれか１項において、
前記固定基部の表面における前記固定止具が止着される部位には、当該背板押さえ部材が前記側板に固定された状態において、上方かつ該側板の内面に向けて傾斜する傾斜面が設けられており、この傾斜面には、当該傾斜面に対して略直交するように形成された止具案内穴部が設けられていることを特徴とする背板押さえ部材。
【請求項５】
請求項１乃至３のいずれか１項において、
前記固定基部は、両側部に前記押さえ部をそれぞれ設けた略直方体形状とされるとともに、これら押さえ部間の中心線を挟んで略対称な形状とされており、
この固定基部の表面側には、前記中心線側部位から前記両側部に向けて下り勾配の傾斜面がそれぞれ設けられ、各傾斜面には、当該傾斜面に対して略直交するように形成された止具案内穴部がそれぞれ設けられていることを特徴とする背板押さえ部材。
【請求項６】
対向する各内面に接合溝が設けられた一対の側板と、これら側板の接合溝に両側端部が嵌め入れられた背板と、この背板の上端部との間に配線用隙間を幅方向の略全体に亘って形成するようにして、前記側板に固定された天板と、前記側板に前記固定基部が固定されるとともに前記背板の上端面に前記押さえ部を当接させて配された請求項１乃至５のいずれか１項に記載の背板押さえ部材とを備えていることを特徴とするキャビネット。
【発明の詳細な説明】
【技術分野】
【０００１】
本発明は、キャビネットの背板を固定する背板押さえ部材、及びこれを備えたキャビネットに関する。
【背景技術】
【０００２】
物品等を収納、載置する収納家具としてのキャビネットは、住居等の建物のリビングやダイニング等の居室空間などに設置される。
このようなキャビネットの天板や収納空間の棚板、底板（地板）等に、電気機器や電子機器、通信機器等の各種機器を載置する場合には、各機器同士を接続したり、各機器とコンセントとを接続したりする配線が必要となり、この配線を見栄え良く納めることが望まれる。
例えば、下記特許文献１では、ＡＶ（オーディオヴィジュアル）機器等の電気機器の配線のために、天板の後方側端部略中央部位に一つの配線孔を設けた家具が提案されている。
【先行技術文献】
【特許文献】
【０００３】
【特許文献１】特開２００１−８７５４号公報（図１参照）
【発明の概要】
【発明が解決しようとする課題】
【０００４】
しかしながら、上記した各種機器の配線の本数が少ない場合や配線孔のすぐ近くに機器を設置するような場合には、上記特許文献１に記載されたような一つの配線孔を有した家具でも十分ではあるが、配線の本数が多い場合や、配線孔から離れた場所に各種機器を設置する場合には、天板上で配線が目立ち、見栄えが悪くなるという問題があった。
そこで、天板に載置される各種機器の配線を見栄え良く納めるために、天板の背面側端部と背板の上端部との間に、キャビネット幅方向に沿って配線用の隙間を設けることが考えられる。これによれば、天板上に載置される各種機器の設置態様、及び配線態様の自由度を向上させることができるものではある。
【０００５】
ところで、従来のキャビネットにおいては、収納空間を区画形成する背板は、天板の裏面及び側板の内面に形成された凹溝（接合溝）に上端部及び両側端部が嵌め入れられて、その上端部及び両側端部が固定されるとともに、下端部が底板や幅木等によって保持されるのが一般的であった。
一方、上述のように、配線態様等の自由度を向上させるべく、天板と背板との間に、キャビネット幅方向に沿って配線用の隙間を設けた場合には、背板の上端部を天板によって固定乃至は保持できず、そのため、背板ががたついたり、それに伴って設置する機器の種類によっては、ビビリ音が生じたりする恐れがある。
【０００６】
本発明は、上記実情に鑑みなされたものであり、キャビネットの背板のがたつきを防止し得る背板押さえ部材、及びこれを備えたキャビネットを提供することを目的としている。
【課題を解決するための手段】
【０００７】
前記目的を達成するために、本発明に係る背板押さえ部材は、キャビネットの側板の接合溝に端部を嵌め入れて該側板に接合された背板を固定する背板押さえ部材であって、前記側板の内面に固定止具によって固定される固定基部と、この固定基部に連成されるとともに、前記背板の上端面に当接される押さえ部とを備えていることを特徴とする。
【０００８】
このような構成とすることで、背板の上端面に、押さえ部を当接させ、この押さえ部が連成された固定基部を、固定止具によって側板の内面に固定することで、背板の上端部を固定でき、背板のがたつきを防止することができる。
【０００９】
本発明においては、前記固定基部の裏面に、前記側板の接合溝に係合する係合突部を設けるようにしてもよい。
このような構成とすれば、当該背板押さえ部材を、側板の内面に固定止具によって固定する際に、固定基部の係合突部を側板の接合溝に係合させることで、位置決めすることができるので、当該背板押さえ部材を、位置ズレ等を生じさせずに、側板に対して容易に固定することができる。
【００１０】
また、前記係合突部の先端部に、係合ガイド用のガイド面を形成したものとしてもよい。
このような構成とすれば、当該背板押さえ部材を、側板の接合溝に係合させる際に、係合させ易く、作業性を向上させることができる。
【００１１】
また、本発明においては、前記固定基部の表面における前記固定止具が止着される部位に、当該背板押さえ部材が前記側板に固定された状態において、上方かつ該側板の内面に向けて傾斜する傾斜面を設け、この傾斜面に、当該傾斜面に対して略直交するように形成された止具案内穴部を設けるようにしてもよい。
このような構成とすれば、当該背板押さえ部材を固定止具によって固定する際に、キャビネット上方側から、固定止具を捻じ込み（または打ち込み）易く、作業性を向上させることができる。
また、止具案内穴部が傾斜面に対して略直交するように設けられているので、固定止具が側板の内面に対して傾斜した状態で捻じ込まれる（または打ち込まれる）。
従って、側板に対する固定止具の保持強度を向上させることができるとともに、当該背板押さえ部材が背板の上端面を押さえつけるようにして固定される。
その結果、当該背板押さえ部材をより強固に側板に対して固定することができるとともに、当該背板押さえ部材によって、より強固に背板を固定することができる。
【００１２】
また、本発明においては、前記固定基部を、両側部に前記押さえ部をそれぞれ設けた略直方体形状とするとともに、これら押さえ部間の中心線を挟んで略対称な形状とし、この固定基部の表面側に、前記中心線側部位から前記両側部に向けて下り勾配の傾斜面をそれぞれ設け、各傾斜面に、当該傾斜面に対して略直交するように形成された止具案内穴部をそれぞれ設けるようにしてもよい。
このような構成とすれば、当該背板押さえ部材を、上記中心線を軸として１８０度回転させることで、背板の両側上端部のいずれの側にも配置することができる。つまり、両側部のうち一方の押さえ部を背板の両側端部のうちの一方の上端面に当接させ、一方の傾斜面及びこの傾斜面に形成された止具案内穴部を利用して、上記同様、容易かつ強固に固定することができ、背板の両側端部のうちの他方の上端面も同様にして固定することができる。従って、背板の両側上端部を、共通の背板押さえ部材を利用してそれぞれ固定することができるので、組み付け時における取扱い性が良く、作業性をより向上させることができる。
また、上記中心線を挟んで略対称な形状とすることで、両側板に固定された状態において、略同様の外観を呈し、当該背板押さえ部材が露出するような場合にも違和感を減少させることができる。
【００１３】
また、前記目的を達成するために、本発明に係るキャビネットは、対向する各内面に接合溝が設けられた一対の側板と、これら側板の接合溝に両側端部が嵌め入れられた背板と、この背板の上端部との間に配線用隙間を幅方向の略全体に亘って形成するようにして、前記側板に固定された天板と、前記側板に前記固定基部が固定されるとともに前記背板の上端面に前記押さえ部を当接させて配された前記いずれかの背板押さえ部材とを備えていることを特徴とする。
このような構成とすることで、天板に載置される電気機器や電子機器、通信機器等の各種機器の配線を、幅方向の略全体に亘って形成された配線用隙間を利用して天板下方の収納空間に引き出すことができる。従って、各種機器の設置態様、及びそれらの配線態様の自由度を向上させながらも、天板上の配線を目立ち難くすることができ、見栄えを向上させることができる。
また、このように、天板と、背板の上端部との間に、幅方向の略全体に亘る配線用隙間を設けた場合にも、背板押さえ部材によって、背板の上端部が固定されているので、背板のがたつき等を防止することができる。
さらに、この背板押さえ部材によって、当該キャビネットの収納空間を区画する背板と両側板との接合強度を向上させることができ、当該キャビネット自体の強度を向上させることができる。
【発明の効果】
【００１４】
本発明に係る背板押さえ部材は、上述のような構成としたことで、キャビネットの背板のがたつきを防止することができる。
【図面の簡単な説明】
【００１５】
【図１】本発明の一実施形態に係る背板押さえ部材を備えたキャビネットの一例を模式的に示す概略斜視図である。
【図２】同キャビネットを模式的に示す一部破断概略平面図である。
【図３】図２におけるＸ−Ｘ線矢視に対応させた概略縦断面図である。
【図４】（ａ）は、図２におけるＹ−Ｙ線矢視に対応させた一部破断概略縦断面図、（ｂ）及び（ｃ）は、同背板押さえ部材を模式的に示す概略斜視図である。
【発明を実施するための形態】
【００１６】
以下に本発明の実施の形態について、図面に基づいて説明する。
図１〜図４は、本実施形態に係る背板押さえ部材を備えたキャビネットの一例を模式的に示す説明図である。
尚、以下の実施形態において指す前後方向は、キャビネットに対面した使用者を基準にし、その前後方向に直交する方向を左右方向として説明する。
【００１７】
本実施形態に係るキャビネット１は、図１に示すように、左右一対の側板３，３と、これら側板３，３の上端部間に配された天板２と、これら側板３，３間の上下途中部位の適所に配された棚板６と、これら側板３，３の後方側端部間に配された背板４と、この背板４の下端部４ｃ（図３参照）を保持する幅木５とを備え、これらにより前方に開口した方形箱状とされ、また、これらにより区画された内方空間が収納空間とされている。
【００１８】
これら天板２、両側板３，３、背板４、及び幅木５は、合板やＬＶＬ（単板積層材）等の木質積層板、パーティクルボード等の木質ボード、またはインシュレーションボードやＭＤＦ（中密度繊維板）等の木質繊維板などの木質系材料を板状に加工した基材に、適宜、合成樹脂シートや突板等の表面化粧シートを貼着した構成とされている。
または、合成樹脂系材料に、木粉や無機フィラー、相溶化剤、着色剤などを所定の含有割合で含有させた木粉・プラスチック複合材（ＷＰＣ）を板状に加工した基材に、上記同様、表面化粧シートを貼着したものとしてもよい。これら各基材は、適宜、組み合わせて積層し、表面化粧シートを貼着するようにしてもよい。
尚、上記基材としては、木質系材料から製されたものに限られず、合成樹脂系材料や金属系材料等から製されたものとしてもよい。
【００１９】
各側板３，３の後方側端部の内面３ｃ，３ｃには、背板４の両側端部４ｂ，４ｂ（図２及び図４参照）が嵌め入れられる接合溝３ｂがそれぞれ設けられている。各側板３，３の各接合溝３ｂ，３ｂは、互いに対向する方向に開口するとともに、各側板３，３の上下の全体に亘って設けられている。
また、各側板３，３の後方側端部近傍部位で下端部近傍部位には、図１に示すように、開口３ｄが開設されており、この開口３ｄには、図３に示すように、配線８等の挿通可能な配線キャップ３ｅを取り付けるようにしてもよい。
【００２０】
天板２は、本実施形態では、両側端部が接合ピンやＬ型金具等の連結固定具によって、両側板３，３の上端部の内面３ｃ，３ｃにそれぞれ固定されている。また、この天板２の後方側端部２ａと、背板４の上端部との間には、当該キャビネット１の幅方向の略全体に亘って配線用隙間Ｓが形成されている。
本実施形態では、この天板２の前後長さを、各側板３，３の前後長さよりも短く形成し、これら天板２の手前側端面と側板３の手前側端面とを略一致させた状態で、天板２の後方側端部２ａと背板４の上端部との間に、配線用隙間Ｓが形成されるように、天板２を一対の側板３，３間に固定した構造としている。
【００２１】
つまり、本実施形態では、当該キャビネット１内方の収納空間と、キャビネット１の外方空間とを上下に連通させるように、上方に向けて開口した配線用隙間Ｓを設けている。この配線用隙間Ｓの前後幅は、配線等が可能な程度の幅寸法とされている。
このような配線用隙間Ｓを設けることで、図３に示すように、天板２上に載置された電気機器（例えば、テレビ等）７の後方側に引き出された配線８を、当該配線用隙間Ｓを利用してキャビネット１の収納空間内に納めることができる。従って、天板２上に載置される電気機器や電子機器、通信機器等の各種機器の設置態様、及びそれらの配線態様の自由度を向上させながらも、天板２上の配線８を目立ち難くすることができ、見栄えを向上させることができる。
また、上記のように、上方に向けて開口した配線用隙間Ｓを設けることで、当該キャビネット１を、その背面側を壁に当接乃至は近接させて設置した場合にも、配線用隙間Ｓを利用して、容易かつ見栄え良く配線することができる。
【００２２】
棚板６は、当該キャビネット１の収納空間を上下に区画し、本実施形態では、図３に示すように、その後方側端部６ａと、背板４の手前面との間に、上記同様、当該キャビネット１の幅方向の略全体に亘って、配線用隙間Ｓ１を形成するように配されている。
このように、棚板６の後方側に、配線用隙間Ｓ１を設けることで、図３に示すように、棚板６上に載置された電気機器（例えば、チューナーユニットや再生・録画機器等）７の後方側に引き出された配線８を、当該配線用隙間Ｓ１を利用して、当該キャビネット１の下方部位に設けられた配線キャップ３ｅに向けて配線することができる。
この棚板６は、例えば、両側板３，３の内面３ｃ，３ｃに上下方向に沿って所定間隔毎に穿設された複数のダボ孔（不図示）に嵌め入れられた図示しない棚受けダボに連結乃至は支持されており、この棚受けダボの嵌め入れ箇所を適宜、変更することで、配設高さの変更が可能となっている。尚、図例のように一枚の棚板６を設ける態様に限られず、複数枚の棚板を高さ方向に離間させて設ける態様としてもよい。
【００２３】
幅木５は、図３に示すように、その上端部に、上方に向けて開口した接合溝５ａを有しており、この接合溝５ａは、当該幅木５の長手方向（当該キャビネット１の幅方向）の全体に亘って設けられている。
また、この幅木５は、両側端部が接合ピンやＬ型金具等の連結固定具によって、両側板３，３の後方側端部の下端部の内面３ｃ，３ｃにそれぞれ連結固定されている。
この幅木５の接合溝５ａと、両側板３，３の各接合溝３ｂ，３ｂとは、当該キャビネット１の前後方向において、略整合した位置に設けられている。
尚、このような後方側下部に幅木を設ける態様に代えて、後方側端部に上方に向けて開口した接合溝を有した底板（地板）を、両側板の下端部間に設けるようにしてもよい。
【００２４】
背板４は、その両側端部４ｂ，４ｂを両側板３，３の各接合溝３ｂ，３ｂに嵌め入れるとともに、下端部４ｃを幅木５の接合溝５ａに嵌め入れて、これらに保持乃至は固定支持されている。このように、両側板３，３及び幅木５の各接合溝３ｂ，３ｂ，５ａに、各端部４ｂ，４ｂ，４ｃを嵌め入れた状態において、背板４は、図３及び図４（ａ）に示すように、その上端面４ａが両側板３の上端面３ａ，３ａよりも下方位置となるように形成されている。
背板４の上端部と、天板２の後方側端部２ａとの間には、上述のように、配線用隙間Ｓが形成されている。従って、従来のように、裏面に接合溝を有した天板によって、背板の上端部を固定することは困難である。
そこで、本実施形態では、この背板４の両側上端部を固定する一対の背板押さえ部材１０を、キャビネット１の両側板３，３の各内面３ｃ，３ｃに固定するようにしている。
【００２５】
背板押さえ部材１０は、合成樹脂系材料等で一体的に製されており、図１及び図２に示すように、側板３の接合溝３ｂ近傍の内面３ｃに、木ねじや釘等の固定止具（図例では、木ねじ）９によって固定される固定基部１１と、この固定基部１１に連成されるとともに、背板４の上端面４ａに当接される押さえ部１２とを備えている。
尚、以下では、背板押さえ部材１０の上下（高さ）、及び前後を、当該背板押さえ部材１０が側板３に固定された状態を基準として説明する。
【００２６】
固定基部１１は、図４（ｂ）、（ｃ）に示すように、その外形が略直方体形状とされており、本実施形態では、図４（ａ）に示すように、当該固定基部１１の両側部となる上側面及び下側面が、それぞれ押さえ部１２，１２とされている。また、本実施形態では、固定基部１１は、これら押さえ部１２，１２間の中心線ＣＬ（図３参照）を挟んで略対称な形状とされている。
この固定基部１１の裏面（側板３に固定された状態において側板３の内面３ｃに当接する面）には、側板３の接合溝３ｂに係合する係合突部１３が、上記裏面に対して略直交する方向に向けて突設されている。この係合突部１３は、図２に示すように、固定基部１１の裏面における、前後方向略中間部位のやや後方に寄った部位から突設されている。
この係合突部１３は、本実施形態では、図４（ｃ）に示すように、固定基部１１の上下方向の略全体に亘って設けられている。図例では、係合突部１３は、その手前面側の適所に肉盗み凹部１７を形成するようにして、上下方向の略中間部位に、リブ１８を有したものとしている。
また、この係合突部１３の上下面と固定基部１１の上下側面とが略面一状に同一平面とされ、この係合突部１３の上下面も押さえ部として機能する。
【００２７】
この係合突部１３の前後幅（肉盗み凹部１７が形成されていない部位の幅、接合溝３ｂの溝幅と同方向幅）及び突設幅（接合溝３ｂの溝深さと同方向幅）は、それぞれ接合溝３ｂの溝幅及び溝深さに対応させた寸法とされており、係合突部１３を接合溝３ｂに嵌め入れた状態では、互いに略密接して係合する構成とされている。
また、この係合突部１３の嵌入方向先端部には、Ｃ面取り形状とされた係合ガイド用のガイド面１４が形成されている。このガイド面１４は、本実施形態では、係合突部１３の先端部の手前側縁部に設けられている。
尚、図４（ｃ）に示すように、背板押さえ部材１０の裏面には、係合突部１３後方側にもリブ１８を形成するようにして肉盗み凹部１７が設けられている。このような肉盗み凹部１７やリブ１８は、当該背板押さえ部材１０の材料費削減の観点や強度確保等の観点から適宜、設けるようにしてもよい。
【００２８】
上記のような係合突部１３を固定基部１１の裏面に設けることで、当該背板押さえ部材１０を、側板３の内面３ｃに固定止具９によって固定する際に、固定基部１１の係合突部１３を側板３の接合溝３ｂに係合させることで、位置決めすることができる。従って、当該背板押さえ部材１０を、位置ズレ等を生じさせずに、側板３に対して容易に固定することができる。
特に、本実施形態では、係合突部１３を、固定基部１１の上下方向の略全体に亘って設けているので、位置決めの際に接合溝３ｂに対して当該背板押さえ部材１０が回転等することがなく、確実に位置決めできるとともに、位置ズレを確実に防止できる。また、この係合突部１３の上下面も押さえ部として機能するものとしているので、後記するように側板３に固定された際に、背板４の上端面４ａを押さえ部１２とともに強固に固定保持することができる。
また、係合突部１３の先端部にガイド面１４を設けているので、当該背板押さえ部材１を、側板３の接合溝３ｂに係合させる際に、係合させ易く、作業性を向上させることができる。
【００２９】
固定基部１１の表面（側板３に固定された状態において側板３の内面３ｃに略平行な面）には、上下一対の傾斜面１５，１５が設けられている。
これら一対の傾斜面１５，１５は、上記した中心線ＣＬを挟んで略対称な形状とされており、この中心線ＣＬ近傍部位を頂部として、図４（ａ）に示すように、それぞれ上方（上側押さえ部１２）及び下方（下側押さえ部１２）に向けて下り勾配のテーパ状に形成されている。つまり、側板３に固定された状態において、上側の傾斜面１５が、上方かつ側板３の内面３ｃに向けて傾斜した構成とされ、下側の傾斜面１５が、下方かつ側板３の内面３ｃに向けて傾斜した構成とされている。
【００３０】
また、これら上下の傾斜面１５，１５には、図４（ａ）に示すように、各傾斜面１５，１５に対して略直交するように形成された止具案内穴部１６，１６がそれぞれ設けられている。
これら止具案内穴部１６，１６は、本実施形態では、係合突部１３が設けられた部位よりも前後方向手前側に位置するように設けられ、また、各傾斜面１５，１５から裏面側に向けて貫通した貫通孔とされている。
これら上下の各止具案内穴部１６，１６は、上下の傾斜面１５，１５と同様、中心線ＣＬを挟んで略対称な形状とされている。つまり、各傾斜面１５，１５の傾斜に応じて、図４（ａ）に示すように、これら止具案内穴部１６，１６は、裏面側に向かうに従い、互いに近接するように形成されている。
【００３１】
上記のように本実施形態では、当該背板押さえ部材１０の中心線ＣＬを軸として略線対称な形状となるように、中心線ＣＬを挟んで、上下のそれぞれに、押さえ部１２，１２、傾斜面１５，１５及び止具案内穴部１６，１６を設けている。
このような構成とすることで、図２及び図４（ａ）に示すように、両側板３，３の各内面３ｃ，３ｃに、共通の背板押さえ部材１０，１０を固定することができる。すなわち、中心線ＣＬを軸として１８０度回転させることで、背板４の両側上端部のいずれの側にも同背板押さえ部材１０を、配置することができる。従って、背板４の両側上端部を、共通の背板押さえ部材１０，１０を利用してそれぞれ固定することができるので、組み付け時における取扱い性が良く、作業性をより向上させることができる。
また、両側板３，３に固定された状態において、略同様の外観を呈し、当該背板押さえ部材１０が露出するような場合にも違和感を減少させることができる。
【００３２】
背板押さえ部材１０の固定基部１１の上下幅は、図３に示すように、固定基部１１の下側の押さえ部１２が背板４の上端面４ａに当接し、上側の押さえ部１２が側板３の上端面３ａから上方に向けて突出しない程度で、かつ、固定止具９が止着される上下の止具案内穴部１６，１６を形成し得る程度の上下幅とすればよい。本実施形態では、背板４の上端面４ａと両側板３の上端面３ａ，３ａとの高低差に対応させた上下幅とされ、固定基部１１の下側の押さえ部１２を、背板４の上端面４ａに当接させた状態で、上側の押さえ部１２と側板３の上端面３ａとが略一致するように、その上下幅が設定されている。
【００３３】
また、固定基部１１の前後幅は、図２に示すように、固定基部１１の後方側面がキャビネット１の後方側面（側板３の後方側端面等）から後方に向けて突出しない程度で、固定基部１１の手前側が天板２の後方側端部２ａに当接しない程度の前後幅とすればよい。加えて、裏面側の係合突部１３が側板３の接合溝３ｂに係合し得るとともに、固定基部１１の表面側に固定止具９の止着部位が形成される程度の前後幅とすればよい。
尚、固定基部１１の厚さ（固定された状態における左右方向の厚さ）は、固定された際に、押さえ部によって背板４の上端部を固定し得るように、背板４の上端面４ａとの当接面が確保できる程度の厚さとすればよい。本実施形態では、配線用隙間Ｓが小さくならないよう、比較的、薄いものとしている。
【００３４】
上記構成とされた背板押さえ部材１０を、一方の側板３（図１の拡大図における左側の側板３）に固定する際には、図１に示すように、背板押さえ部材１０の係合突部１３を、側板３の接合溝３ｂの上端部に嵌め入れるとともに、下側の押さえ部１２を背板４の上端面４ａに当接させて位置決めした状態で、固定基部１１の上側の傾斜面１５に形成された止具案内穴部１６に対して木ねじや釘等の固定止具９を捻じ込む（釘の場合は打ち込む）。
この際、上記したように、上側の傾斜面１５は、上方かつ側板３の内面３ｃに向けて傾斜しているので、キャビネット１の上方に向けて開口した配線用隙間Ｓを介して作業者が固定する際に、この傾斜面１５が作業者側を向くように、少許上方を向くこととなる。従って、当該背板押さえ部材１０を固定する際における作業性を向上させることができる。
【００３５】
また、固定止具９が止着される上側の止具案内穴部１６は、傾斜面１５に対して略直交するように設けられているので、図４（ａ）に示すように、固定止具９は、側板３の内面３ｃに対して傾斜した状態で捻じ込まれる（または打ち込まれる）。
従って、側板３に対する固定止具９の保持強度を向上させることができるとともに、当該背板押さえ部材１０が背板４の上端面４ａを押さえつけるようにして固定される。
その結果、当該背板押さえ部材１０を強固に側板３に対して固定することができるとともに、当該背板押さえ部材１０によって、強固に背板４を固定することができる。
尚、他方の側板３（図１における右側の側板３）への固定態様については、略同様であるので説明は省略するが、上述のように、本実施形態では、背板押さえ部材１０を、中心線ＣＬを挟んで略対称な形状としているので、中心線ＣＬを軸として１８０度回転させた状態で固定される。
【００３６】
上記のように、両側板３，３のそれぞれの内面３ｃ，３ｃに各背板押さえ部材１０，１０が固定された状態では、図４（ａ）に示すように、背板４の両側端部の上端面４ａが、各背板押さえ部材１０，１０の下側の押さえ部１２，１２によって押さえられ、これら一対の背板押さえ部材１０，１０によって、背板４の上端部を強固に固定保持することができる。
尚、両側板３，３及び幅木５の各接合溝３ｂ，３ｂ，５ａまたは背板４の各端部４ｂ，４ｂ，４ｃに接着剤を塗布した後、これらを組み付け、その後、接着剤が乾燥硬化する前に、各背板押さえ部材１０，１０を取り付け固定するようにしてもよい。
【００３７】
以上のように、本実施形態に係るキャビネット１では、天板２上に載置される各種機器の設置態様や配線態様の自由度を向上させるべく、天板２の後方側端部２ａと背板４の上端部との間に配線用隙間Ｓを設けた場合にも、背板４の上端部を、背板押さえ部材１０によって固定保持することができ、背板４のがたつきを防止することができる。
また、背板押さえ部材１０によって、当該キャビネット１の収納空間を区画する背板４と両側板３，３との接合強度を向上させることができ、当該キャビネット１自体の強度を向上させることができる。
【００３８】
尚、本実施形態では、背板押さえ部材の係合突部を、固定基部裏面の上下方向の略全体に亘って設けた例を示しているが、上下方向に離間させて複数の棒状突起などの係合突部を設ける態様としたり、一本の棒状突起を係合突部としたりしてもよい。好ましくは、係合突部の形状は、本実施形態と同様、接合溝に係合させた際に、接合溝内において回転不能となる形状としてもよい。
また、係合突部の先端部に設けられたガイド面は、手前側縁部のみならず、後方側縁部にも設けるようにしてもよい。すなわち、先端部両側縁部にガイド面を設けたものとしてもよい。また、ガイド面の形状は、図例のようなＣ面取り形状に限られず、突湾曲形状とされたＲ面取り形状としてもよい。または、係合突部自体の上記前後幅を、接合溝の溝底に向けて先細りとなるような形状としてもよく、若しくはこのようなガイド面を係合突部に設けないようにしてもよい。
さらに、本実施形態では、背板押さえ部材の固定基部の裏面に、リブや肉盗み凹部を設けた構成としているが、これらを設けない態様としてもよい。さらには、固定基部の裏面に係合突部を設けないようにしてもよい。
【００３９】
また、本実施形態では、背板押さえ部材の固定基部を、両側部（上下側部）に押さえ部をそれぞれ設けた略直方体形状とするとともに、これら上下側部間の中心線を挟んで略対称な形状とし、この上下側部間の中心線を挟んで、上下のそれぞれに、傾斜面及び止具案内穴部を設けた例を示しているが、このような態様に限られない。
例えば、押さえ部としては、固定基部の下側部に、下方に向けて開口した背板上端部受入溝を設け、該受入溝を押さえ部としたり、当該背板押さえ部材を略Ｌ字形状として、その垂直片部を固定基部、水平片部を押さえ部としたりしてもよい。これらの場合には、裏面側に係合突部を設けない場合にも、位置決めが可能となる。
その他、当該背板押さえ部材の固定基部及び押さえ部は、側板の内面に固定止具によって固定され、背板の上端面に当接されるものであれば、種々の形状とされたものが採用可能である。
【００４０】
また、止具案内穴部を、上記上下側部間の中心線を挟んで上下のそれぞれに設ける態様に代えて、係合突部を固定基部の前後方向略中間部位に設け（または、設けずに）、該固定基部の前後端部間の中心線を挟んで、前後のそれぞれに、止具案内穴部を設けるような態様としてもよい。この場合は、上方かつ側板内面に向けて傾斜する上側の傾斜面に相当する傾斜面のみを設け、この傾斜面に対して略直交するように、前後の止具案内穴部をそれぞれ形成するようにしてもよい。このような態様によっても、前後端部間の中心線を軸として、１８０度回転させれば、背板の両側端部上端面のいずれの側にも配置できるとともに、上記同様、両側板に固定された状態において、略同様の外観を呈するものとなる。または、上記前後の止具案内穴部のうちの一方のみを設けるようにしてもよい。この場合は、左右の側板において、固定止具の止着部位が前後の異なる位置となる以外は上記同様の効果を奏する。
【００４１】
または、上記上下側部間の中心線を挟んで、上下のそれぞれに、傾斜面及び止具案内穴部を設ける態様に代えて、傾斜面及び止具案内穴部のうちのいずれか一方のみを設けるようにしてもよい。若しくは、固定基部の表面を傾斜面とせずに、その表面に略直交するように止具案内穴部を形成するようにしてもよい。
さらにまた、本実施形態では、止具案内穴部を、固定基部の表面側から裏面側に向けて貫通したものとしているが、表裏に貫通させずに、表面側から途中部位まで穿設したものとしてもよい。
さらには、このような傾斜面及び止具案内穴部を設けないようにしてもよい。
【００４２】
また、本実施形態に係るキャビネットの天板後方側端部に、上記配線用隙間をカバーするカバー部材を付設するようにしてもよい。カバー部材としては、例えば、ゴムや合成樹脂等から製された可撓性のあるカバー部材としたり、幅方向の複数箇所に配線挿通用のスリットや切込み等を設けたカバー部材としたりしてもよい。このようなカバー部材を設けることで、配線用隙間を目立ち難くすることができるとともに、配線をさらに目立ち難くすることができる。
さらに、本実施形態では、両側板に、配線用の開口を設け、配線キャップを取り付けた例を示しているが、これらを設けずに、または、これらに加えて、例えば、壁に設けられるコンセントの位置に対応させて、背板に配線用開口を設けるようにしてもよい。
【００４３】
さらにまた、本実施形態では、キャビネットの天板の後方側の配線用隙間を上方に向けて開口したものとしたが、このような態様に限られない。例えば、当該キャビネットが、その背面側を壁に当接乃至は近接させて設置されるものでない場合には、天板の後方側端面と両側板の後方側端面とを略一致させ、天板の裏面と、背板の上端面との間に、上記内方空間と外方空間とを前後に連通させるようにして、後方側に向けて開口した配線用隙間を設けるようにしてもよい。このようなものでも、背板押さえ部材によって背板を固定することができる。
また、本実施形態では、天板の両側端部を両側板の上端部の各内面に連結固定した例を示しているが、両側板の各上端面に、天板の両側端部を載置するようにして、天板と両側板とを連結固定する態様としてもよい。
【００４４】
また、本実施形態では、棚板の後方側に、キャビネットの幅方向の略全体に亘って、配線用隙間を形成した例を示しているが、棚板の後方側の角部を切り欠いたり、後方側端部の適所を切り欠いたり、または、棚板の後方側部位の適所に孔部を設けたりすることで、棚板によって上下に区画された各収納空間を互いに連通させる配線用開口を形成するようにしてもよい。
さらに、このような棚板を設けないようにしてもよく、また、この棚板に代えて、または、加えて、キャビネットの収納空間に、引き出し自在に収納される引出を設けるようにしてもよい。
【００４５】
さらにまた、キャビネットの収納空間前方開口を開閉する開閉扉を設けるようにしてもよい。
さらには、キャビネットの収納空間を左右に区画する仕切板を設けるようにしてもよい。この場合は、仕切板の後方側端部と、背板の手前面との間に、上記同様の配線用隙間を設けたり、仕切板に、上記同様の配線用開口を設けたりするようにしてもよい。
また、本実施形態に係るキャビネットを、複数個、横並びに設け、各キャビネットの天板上または側板上に、各キャビネットに跨るように天板を載置した収納ユニットとして把握するようにしてもよい。このような態様に代えて、または、加えて、本実施形態に係るキャビネットを、複数個、上下に積み重ねた収納ユニットとしてもよい。この場合は、各キャビネット間の天板を、棚板として把握するようにしてもよい。
【符号の説明】
【００４６】
１          キャビネット
２          天板
３          側板
３ｂ        側板の接合溝
３ｃ        側板の内面
４          背板
４ａ        背板の上端面
４ｂ        背板の側端部
９          固定止具
１０        背板押さえ部材
１１        固定基部
１２        押さえ部
１３        係合突部
１４        ガイド面
１５        傾斜面
１６        止具案内穴部
ＣＬ        中心線
Ｓ          配線用隙間
【図１】
2011099517.tif 000003
【図２】
2011099517.tif 000004
【図３】
2011099517.tif 000005
【図４】
2011099517.tif 000006